(57)【特許請求の範囲】
【請求項１】
便器の後部上面に取付けられる下ケースと、下ケースに装着される上ケースとから成る本体ケース内に、本体ケースから出し入れ自在とされる洗浄ノズルを備えた洗浄装置と、洗浄装置を制御する電気回路や洗浄水を加熱する電気ヒータ等のような電気部品とが収納され、電気部品のアース線を下ケースにねじ止めされたアース金具に接続し、アース金具に取付けられたアースねじに外部アース線を接続するようにした温水洗浄装置のアース金具の取り付け構造において、アース金具は、下ケース内に突設された取付けボスにねじ止めされると共にアース線が接続される水平端子片と、アースねじが取付けられる垂直端子片とで構成され、下ケースの側壁には上方に開口し、アースねじが嵌挿自在となったＵ字溝が形成され、上記アース金具の水平端子片を側壁の上面に載置し且つアース金具の垂直端子片に取付けたアースねじをＵ字溝内に嵌挿して垂直端子片を側壁の外面に当接させた状態で、水平端子片のねじ部が下ケースの取付けボスに位置決めされるように構成されていることを特徴とする温水洗浄装置のアース金具の取り付け構造。
【請求項２】
水平端子片に側壁の内面に当接可能な当接部を設けて成ることを特徴とする請求項１記載の温水洗浄装置のアース金具の取り付け構造。
【発明の詳細な説明】
【０００１】
【発明の属する技術分野】
この発明は、温水洗浄装置のアース金具の取り付け構造に関するものである。
【０００２】
【従来の技術】
従来より、温水洗浄装置のアース金具の取り付け構造として、本体ケースを便器の後部上面に取付けられる下ケースと、下ケースに装着される上ケースとに分割し、この本体ケース内に、洗浄水を吐出させる洗浄ノズルを備えた洗浄装置と、洗浄装置を制御する電気回路や洗浄水を加熱する電気ヒータ等のような電気部品とを収納し、電気部品のアース線を下ケースにねじ止めされたアース金具に接続し、アース金具に取付けられたアースねじに外部アース線を接続するようにしたものが知られている。従来のアース金具２と下ケース９との固定は、取付けねじ３０のみで行っており、その一例を図８に示す。下ケース９の側壁１１には、アース金具２の垂直端子片４が嵌まり込むことができる大きさの凹状の切り欠き５０が形成されており、この切り欠き５０内に垂直端子片４を配置して、垂直端子片４に螺合するアースねじ５の先部を下ケース９の内側に逃がすようにしている。尚図中の８はアース線である。
【０００３】
【発明が解決しようとする課題】
ところが、従来のアース金具２の取り付け構造にあっては、アース金具２は取付けねじ３０で固定される部分以外の他の箇所では、下ケース９では位置決め支持されておらず、またアース金具２の動きも下ケース９では規制されていないために、取付けねじ３０を取付ける前に、下ケース９の取付けボス７に対してアース金具２のねじ部６を位置決めする作業が難しく、しかも、アース金具２は図８の矢印イ方向に動き易く、ねじ止め作業に手間がかかっていた。そのうえ下ケース９にねじ止めされたアース金具２に外力が加わった場合には、その外力を取付けねじ３０の部分のみで受ける構造となるために、合成樹脂製の取付けボス７が折れる恐れがあり、アース金具２の取付け強度に不安があった。
【０００４】
本発明は、上記従来例に鑑みてなされたもので、下ケースに対するアース金具のねじ止め作業を容易に行うことができると共に、アース金具を下ケースの複数箇所で支持することができ、組立て性の向上及び取付け強度の向上を図ることができる温水洗浄装置のアース金具の取り付け構造を提供することを目的とする。
【０００５】
【課題を解決するための手段】
上記課題を解決するために、本発明は、便器の後部上面に取付けられる下ケース９と、下ケース９に装着される上ケースとから成る本体ケース内に、本体ケースから出し入れ自在とされる洗浄ノズル１２を備えた洗浄装置１３と、洗浄装置１３を制御する電気回路や洗浄水を加熱する電気ヒータ等のような電気部品とが収納され、電気部品のアース線８を下ケース９にねじ止めされたアース金具２に接続し、アース金具２に取付けられるアースねじ５に外部アース線を接続するようにした温水洗浄装置１３のアース金具の取り付け構造において、アース金具２は、下ケース９内に突設された取付けボス７にねじ止めされると共にアース線８が接続される水平端子片３と、アースねじ５が取付けられる垂直端子片４とで構成され、下ケース９の側壁１１には上方に開口し、アースねじ５が嵌挿自在となったＵ字溝１５が形成され、上記アース金具２の水平端子片３を側壁１１の上面１１ａに載置し且つアース金具２の垂直端子片４に取付けたアースねじ５をＵ字溝１５内に嵌挿して垂直端子片４を側壁１１の外面１１ｂに当接させた状態で、水平端子片３のねじ部６が下ケース９の取付けボス７に位置決めされるように構成されていることを特徴としている。このように構成することで、アース金具２に取付けられたアースねじ５をＵ字溝１５内に嵌挿させながら、アース金具２の水平端子片３を側壁１１の上面１１ａに載置し且つ垂直端子片４を側壁１１の外面１１ｂに当接させるだけで、水平端子片３のねじ部６と下ケース９の取付けボス７とが位置決めされる。しかも、Ｕ字溝１５がアースねじ５のガイドとなるので、アース金具２を下ケース９の正規の位置にスムーズに配置できると共に、配置後にはアース金具２は側壁１１の上面１１ａと外面１１ｂとＵ字溝１５とによって支持され且つその動きが規制されるので、アース金具２が動き難くなり、アース金具２のねじ止め作業がきわめて容易となる。さらに、アース金具２はねじ部以外の箇所では上記下ケース９の複数箇所で支持されるので、下ケース９にねじ止めされたアース金具２に外力が加わった場合に、外力を受ける箇所が多くなり、取付けボス７の折損などを防止できるようになる。
【０００６】
また上記水平端子片３に側壁１１の内面１１ｃに当接可能な当接部１６を設けて成るのが好ましく、この場合、側壁１１の内面１１ｃを利用してアース金具２が側壁１１の外側方に抜けてしまうのを防止でき、アース金具２の横方向の位置決め支持がより確実となると共に、アース金具２を支持する箇所を更に増やすことができる。
【０００７】
【発明の実施の形態】
以下、本発明の実施形態の一例を説明する。
温水洗浄装置１の本体ケースは、例えばＰ．Ｐ等の樹脂成形品から成り、便器の後部上面に取付けられる下ケース９と、この下ケース９に装着される上ケース（図示せず）とに分割されている。
【０００８】
下ケース９の上面には、図４及び図５に示すように、洗浄装置取付け部１４と、温水タンク取付け部２１と、回路基板２４及び電源トランス２５の取付け部２２と、脱臭ダクト取付け部とがそれぞれ形成されており、洗浄装置取付け部１４には本体ケースから出し入れ自在とされる洗浄ノズル１２を備えた洗浄装置１３が取付けられ、温水タンク取付け部２１には電気ヒータを内蔵した温水タンク２０が取付けられ、脱臭ダクト取付け部には便器ボウル内の臭気を外部に排出させるための脱臭ダクト２７が取付けられ、回路基板２４及び電源トランス２５の取付け部２２には、回路基板２４及び電源トランス２５を搭載したベース体２３が取付けられている。
【０００９】
ベース体２３上の回路基板２４には、洗浄装置１３や温水タンク２０内の電気ヒータ等を制御する電気回路が実装されている。そして、これら電気回路及び温水タンク２０内の電気ヒータ、電源トランス２５等のような各電気部品のアース線８が、図１に示すように、下ケース９にねじ止めされるアース金具２を介して外部にアースされている。なお、電気部品として、図４、図５の実施形態に限定されるものではなく、例えば便器ボウル内に温風を供給する乾燥装置内に内蔵される電気ヒータ等も広く含まれるものである。尚、図４中の２６は脱臭ダクト、６０は電源コード、６１は配線コネクタである。
【００１０】
ここで、下ケース９の温水タンク取付け部２１の側方には、下ケース９の側壁１１に近接して一対のねじ孔付き取付けボス７が突設されており、この取付けボス７にアース金具２が取付けられている。
アース金具２は、図２、図３に示すように、下ケース９内に突設された取付けボス７にねじ止めされると共にアース線８が接続される水平端子片３と、アースねじ５が取付けられる垂直端子片４とで構成されている。水平端子片３の根元部の両面３ａ，３ａ間の幅寸法は垂直端子片４の幅寸法と略等しく形成されていると共に、根元部の後端面は側壁１１の内面１１ｃに当接可能な当接部１６となっている。なお、当接部１６は側壁１１の内面１１ｃに必ずしも当接させる必要はなく、図１（ａ）のように僅かな隙間をもって対面配置されてもよいものである。また、水平端子片３には、取付けボス７にねじ止めされるねじ部６が設けられている。本実施形態では、ねじ部６は、水平端子片３の先端側の一辺の２箇所に形成された半円状の切欠孔６ａで構成されており、取付けねじ３０の頭部を切欠孔６ａに引っ掛けた状態で取付けねじ３０の先部を取付けボス７にねじ込むことで、水平端子片３を取付けボス７に固定できるようになっている。もちろん、ねじ部６は切欠孔に限られるものではなく、円形孔であってもよいものである。一方、アース金具２の垂直端子片４には、アースねじ５が取付けられるアースねじ取付け孔３１が穿孔されている。そして、アースねじ５をＵ字溝１５内に嵌挿して垂直端子片４を側壁１１の外面１１ｂに当接させることによって、上記水平端子片３のねじ部６を下ケース９の取付けボス７に位置決めできるように構成されている。また、アースねじ５には外部アース線が接続されるものである。図２中の３２は、外部アース線の端部をアースねじ５に締め付ける際の滑り止め用溝である。
【００１１】
一方、下ケース９の側壁１１には、図１、図２に示すように、上方に開口したＵ字溝１５が形成されている。Ｕ字溝１５は、アースねじ５を逃がすためのものであり、アースねじ５の先部をＵ字溝１５から下ケース９内に逃がすことでアース金具２の垂直端子片４が側壁１１の外面１１ｂに当接可能となっている。また、Ｕ字溝１５の溝幅はアースねじ５の外径より若干大きく形成されており、これによりＵ字溝１５の両側面１５ａがアースねじ５のガイドとなり、アース金具２を下ケース９の正規の位置にスムーズに配置できるようになっている。また、Ｕ字溝１５の深さは、アース金具２を下ケース９の正規の位置に配置した状態でアースねじ５がＵ字溝１５の底面１５ｂに当たるような深さに設定されている。従って、Ｕ字溝１５の底面１５ｂは、アース金具２に上方から荷重がかかったときにその荷重をアースねじ５を介して受け止める働きをする。さらに、Ｕ字溝１５の上部には側壁１１の上端部よりも段落ちした段落ち部３４が形成されている。段落ち部３４の両側面は図２に示すように、水平端子片３の根元部の両面３ａ，３ａと対向する両側面が上方になる程外方に傾斜したテーパー面１１ｄでそれぞれ構成されており、テーパー面１１ｄ，１１ｄ間に水平端子片３の根元部を横方向に位置決め支持した状態で保持できるようになっている。
【００１２】
しかして、アース金具２を下ケース９にねじ止めするにあたっては、図７に示すように、上方からアース金具２を側壁１１に嵌め込んで、アース金具２に取付けられたアースねじ５をＵ字溝１５内に嵌挿させながら、アース金具２の水平端子片３の幅狭の根元部を段落ち部３４内に嵌め込む。このとき、Ｕ字溝１５内の両側面１５ａがアースねじ５のガイドとなるので、アース金具２を下ケース９の正規の位置にスムーズに配置できると同時に、水平端子片３のねじ部６と下ケース９の取付けボス７とが位置決めされた状態となる。またこのとき、段落ち部３４の両側面は上方になる程外方に傾斜したテーパー面１１ｄでそれぞれ形成されているので、水平端子片３の根元部が嵌め込み易くなると共に、水平端子片３が横方向に位置決め支持されるようになる。
【００１３】
従って、アース金具２は側壁１１の外面１１ｂと内面１１ｃとで前後方向（側壁１１の厚み方向）の動きが規制される。つまり、図６のように水平端子片３の当接部１６が側壁１１の内面１１ｃに当接し、且つ垂直端子片４が側壁１１の外面１１ｂに当接することにより、側壁１１の外面１１ｂと内面１１ｃとを利用してアース金具２が側壁１１の外側方に抜け出たり、或いはアース金具２が側壁１１の内側に入り込んだりすることがなくなる。さらに、アース金具２は、側壁１１の段落ち部３４の両側のテーパー面１１ｄ，１１ｄとＵ字溝１５の両側面１５ａとで左右方向（側壁１１の長さ方向）の動きも規制されるので、アース金具２を横方向に確実に位置決めでき、従って、取付けねじ３０をボスにねじ込む際にアース金具２がずれる心配もなく、アース金具２のねじ止め作業がきわめて容易となり、組立て性が向上する。
【００１４】
また、アース金具２は、下ケース９の取付けボス７以外に、上記のように側壁１１の複数箇所で支持されているので、下ケース９にねじ止めされたアース金具２に外力が加わった場合に、外力を受ける箇所が多くなり、強度が増す。つまり、横方向の引張りに対して、アース金具２は、取付けねじ３０と、側壁１１の内外面１１ｂ，１１ｃと、段落ち部３４の両側のテーパー面１１ｄと、Ｕ字溝１５の両側面１５ａとでそれぞれ支持されるようになり、また、上方からの圧力に対して、アース金具２は取付けボス７と、側壁１１の段落ち部３４内の上面１１ａと、Ｕ字溝１５の底面１５ｂの３点で支持されるので、取付けボス７に外力が集中するのを防止でき、合成樹脂製の取付けボス７の折れ防止を図ることができる結果、アース金具２の取付け強度を向上させることができる。
【００１５】
また、下ケース９の側壁１１を利用してアース金具２を支持し且つその動きを規制できる構造となっているので、下ケース９に位置決め用リブや支持用リブ等を別に設けたりする必要もなく、下ケース９の構造の簡素化を図ることができるという利点もある。
なお、前記実施形態では、Ｕ字溝１５の上部に段落ち部３４を設けるようにしたが、段落ち部３４は必ずしも必要でなく、省略可能である。
【００１６】
【発明の効果】
以上説明したように、本発明のうち請求項１記載の発明は、便器の後部上面に取付けられる下ケースと、下ケースに装着される上ケースとから成る本体ケース内に、本体ケースから出し入れ自在とされる洗浄ノズルを備えた洗浄装置と、洗浄装置を制御する電気回路や洗浄水を加熱する電気ヒータ等の電気部品とが収納され、電気部品のアース線を下ケースにねじ止めされたアース金具に接続し、アース金具に取付けられたアースねじに外部アース線を接続するようにした温水洗浄装置のアース金具の取り付け構造において、アース金具は、下ケース内に突設された取付けボスにねじ止めされると共にアース線が接続される水平端子片と、アースねじが取付けられる垂直端子片とで構成され、下ケースの側壁には上方に開口し、アースねじが嵌挿自在となったＵ字溝が形成され、上記アース金具の水平端子片を側壁の上面に載置し且つアース金具の垂直端子片に取付けたアースねじをＵ字溝内に嵌挿して垂直端子片を側壁の外面に当接させた状態で、水平端子片のねじ部が下ケースの取付けボスに位置決めされるように構成されているから、アース金具に取付けられたアースねじをＵ字溝内に嵌挿させながら、アース金具の水平端子片を側壁の上面に載置し且つ垂直端子片を側壁の外面ｂに当接させるだけで、水平端子片のねじ部と下ケースの取付けボスとが位置決めされる。しかも、Ｕ字溝がアースねじのガイドとなるので、アース金具を下ケース９の正規の位置にスムーズに配置できると共に、配置後にはアース金具は側壁の上面と外面とＵ字溝とによって支持され且つその動きが規制されるので、アース金具が動き難くなり、アース金具のねじ止め作業がきわめて容易となる。さらに、アース金具はねじ部以外の箇所では上記下ケースの複数箇所で支持されるので、下ケースにねじ止めされたアース金具に外力が加わった場合に、外力を受ける箇所が多くなり、取付けボスの折損などを防止でき、アース金具の取付け強度を向上させることができる。さらに、下ケースを利用してアース金具を支持し且つその動きを規制できる構造となっているので、下ケースに位置決め用リブや支持用リブ等を別に設けたりする必要もなく、下ケースの構造の簡素化を図ることができる。
【００１７】
また請求項２記載の発明は、請求項１記載の効果に加えて、水平端子片に側壁の内面に当接可能な当接部を設けて成るから、側壁の内面を利用して、アース金具が側壁の外側方に抜けてしまうのを防止でき、アース金具の横方向の位置決め支持がより確実となる。また、アース金具を支持する箇所が更に増えることによって、取付けボスの破損防止に一層効果的となる。
【図面の簡単な説明】
【図１】本発明の実施形態の一例を示し、（ａ）はアース金具の取付け状態を説明する平面図、（ｂ）は側面図である。
【図２】同上の下ケースとアース金具の分解斜視図である。
【図３】同上のアース金具を示し、（ａ）は平面図、（ｂ）は一部破断した側面図、（ｃ）は正面図である。
【図４】同上の温水洗浄装置の内部構成を説明する平面図である。
【図５】図４の正面図である。
【図６】同上のアース金具と側壁の内面との当接状態の説明図である。
【図７】（ａ）（ｂ）は同上のアース金具の取付け状態の説明図である。
【図８】（ａ）（ｂ）は従来のアース金具の取付け状態を説明する平面図及び側面図である。
【符号の説明】
１  温水洗浄装置
２  アース金具
３  水平端子片
４  垂直端子片
５  アースねじ
７  取付けボス
８  アース線
９  下ケース
１１  側壁
１５  Ｕ字溝
１６  当接部
【図１】
0003577936.tif 000002
【図２】
0003577936.tif 000003
【図３】
0003577936.tif 000004
【図４】
0003577936.tif 000005
【図５】
0003577936.tif 000006
【図６】
0003577936.tif 000007
【図７】
0003577936.tif 000008
【図８】
0003577936.tif 000009